Podtech/llm-jp-corpus-v4-ja_patent huggingface dataset:
(57)【要約】      （修正有）【課題】一体成型によって製作された容器を使用することによって、容器の側面と側面が滑らかにつながった状態で容器自体が美しく、また、４面以上８面以下の透明な平面の側壁部と、１面の底部で構成した容器とすることで従来の直方体だけでなく、多角形形状となりデザイン面で他と差別化する。【解決手段】４面以上８面以下の透明な平面の側壁部と１面の底部で構成し、全側壁部の上端が同一平面で開口し、一体成型によって繋ぎ目がなく各面の接続部分が滑らかなガラス容器と、前記ガラス容器の上端を覆って密閉状態とする透明なガラス製上蓋部で構成したことを特徴とするドライフラワーの密閉容器にドライフラワーを密封する。【選択図】図１
0003117614.tif 000002
【実用新案登録請求の範囲】
【請求項１】
４面以上８面以下の透明な平面の側壁部と１面の底部で構成し、全側壁部の上端が同一平面で開口し、一体成型によって繋ぎ目がなく各面の接続部分が滑らかなガラス容器と、前記ガラス容器の上端を覆って密閉状態とする透明なガラス製上蓋部で構成したことを特徴とするドライフラワーの密閉容器。
【考案の詳細な説明】
【技術分野】
【０００１】  乾燥剤を使用して急速に乾燥させたドライフラワーは元の色を維持して室内装飾品としての需要がある。
【背景技術】
【０００２】  乾燥剤を使用して急速に乾燥させたドライフラワーは、乾燥状態を維持しなければ直ちに吸湿して色を失い、装飾品としての価値を失う。そのため、密封状態を維持できる容器に入れて飾られることが一般的である。
密封できる容器としては、円筒形、半球状のガラス容器、一面のみをガラス板とし他面は金属やプラスチック素材の直方体の容器が使用される。
【考案の開示】
【考案が解決しようとする課題】
【０００３】  従来の一般的に使用される容器は、デザイン的に制約が大きく、円筒形、半球状のガラス容器は、丸い形のイメージから逃れられない。一面のみをガラス板とし他面は金属やプラスチック素材の直方体の容器は、ドライフラワーを見る事ができるのは正面方向のみとなる。また、直方体容器の側面に透明なガラス板を使用しても角には繋ぎ目が生じて美観を損なう。
【課題を解決するための手段】
【０００４】  ４面以上８面以下の透明な平面の側壁部と１面の底部で構成し、全側壁部の上端が同一平面で開口し、一体成型によって繋ぎ目がなく各面の接続部分が滑らかなガラス容器と、前記ガラス容器の上端を覆って密閉状態とする透明なガラス製上蓋部で構成したことを特徴とするドライフラワーの密閉容器にドライフラワーを密封する。
【考案の効果】
【０００５】  一体成型によって製作された、４面以上８面以下の透明な平面の側壁部と１面の底部で構成し、全側壁部の上端が同一平面で開口した容器を使用することによって、容器の側面と側面が滑らかにつながった状態で容器自体が美しく、また、４面以上８面以下の透明な平面の側壁部と、１面の底部で構成した容器とすることで従来の直方体だけでなく、多角形形状となりデザイン面で他と差別化ができる。
【実施例】
【０００６】  底面の形状が１５ｃｍの正方形で、側面の高さが１２ｃｍの一体成型された透明なガラス容器内にドライフラワーを固定し、容器の開口部に１５ｃｍの正方形のガラス板をエポキシ系接着剤で密封する。
【産業上の利用可能性】
【０００７】  デザイン性の優れた容器に収納されたドライフラワーを提供する。
【図面の簡単な説明】
【０００８】
【図１】  上端部からの正面図である。
【０００９】
【図２】  右側面図である。図面の左側が蓋部である。
【００１０】
【図３】  底面図である。図面の上側が蓋部である。
【００１１】
【図４】  Ａ−Ａ‘断面図である、図面の上側が蓋部である。
【図１】
0003117614.tif 000003
【図２】
0003117614.tif 000004
【図３】
0003117614.tif 000005
【図４】
0003117614.tif 000006
(57)【要約】      （修正有）【課題】腰掛け式水洗便器において、男子の立ち小便による左右の壁面や床への飛散を防ぐとともに、便座を降ろして使用しても衛生的で扱いやすい男子小便飛散防止シートを提供する。【解決手段】便器と便座の間に飛散防止用の遮蔽膜を左右に設け、男子の立ち小便時に便座を引き上げると遮蔽膜が開き、左右への飛散を防止する。また便座を降ろすと、飛沫で汚れた遮蔽膜面は内側に折り畳まれ、二つ折りにされた状態で便器の外側面に垂れ下がる。この工夫により、汚れた遮蔽膜で体や衣服を汚すことはない。【選択図】図２
0003117617.tif 000002
【実用新案登録請求の範囲】
【請求項１】
男子立ち小便による飛散を防止するために、便器と便座の間に左右一対の遮蔽膜を設置し、便座を降ろしたときに、飛沫を受けた遮蔽膜面は内側に折り畳まれ、便器の外側面に二つ折りにされた状態で垂れ下がることを特徴とする、着脱可能な男子小便飛散防止シート。
【考案の詳細な説明】
【技術分野】
【０００１】本考案は、腰掛け式水洗便器において、悪臭の原因ともなる男子の立ち小便時による左右壁面や床への飛散防止に関するものである。
【背景技術】
【０００２】男子の立ち小便時による左右壁面や床への飛散防止技術に関して、便器に遮蔽膜を形成させるというアイデアはいくつか提案されている。その中で、使い捨てとして対応している技術としては、特開平１１−７１７９６号広報や特開２００５−６８９８８号広報などがある。
【考案の開示】
【考案が解決しようとする課題】
【０００３】しかし特開平１１−７１７９６号広報や特開２００５−６８９８８号広報における遮蔽膜は、複雑な加工が必要であり、使い捨てとしては製造価格に疑問を覚える。また便座を降ろしての使用に際して、何度もの開け閉めによって、最も負担のかかりやすい、折り加工部分の耐久性に問題を感じざるを得ない。
【課題を解決するための手段】
【０００４】トイレの悪臭の原因でもある、男子の立ち小便時による左右壁面や床への飛散を防止し、複雑な加工も必要とせず、取り替えが簡単であり、且つ使い捨てとして処理ができる衛生的な男子小便飛散防止シートを提供することを試み、本考案に至った。【０００５】即ち、便器と便座の間に飛散防止用の遮蔽膜を左右に設置し、男子の立ち小便時に便座を引き上げると遮蔽膜が開き、便座を降ろすと、遮蔽膜の汚れた面は内側に折り畳まれ、便器の外側面に二つ折り状態で垂れ下がり、便座を降ろして使用する際にも、直接体に触れることも、衣服が汚れることもない。【０００６】また取り付けは、便座裏面と便器側面に粘着剤等にて容易に取り付けられるので、交換も容易であり、複雑な加工も必要としないので、製造価格も抑えられる。
【考案の効果】
【０００７】複雑な加工を必要としないので、製造価格を抑える事ができ、取り替えも容易であり、使い捨て商品としての利用が充分可能である。また便座を引き上げるだけで、左右の遮蔽膜が開き、小便の飛沫を遮蔽することができるので、悪臭発生の抑止効果や清掃の手間を省くことができる。且つ便座を降ろして使用の際は、二つ折りにされた遮蔽膜の汚れた面が内側に折り畳まれ、便器の外側面に垂れ下がっているので、直接体に触れることも、衣服を汚すこともない。
【考案を実施するための最良の形態】
【０００８】本考案は、便座を引き上げたときに左右一対の遮蔽膜が立ち上がり、便座を降ろしたときには、遮蔽膜の汚れた面が二つ折りに内側に折り畳まれ、便器の外側面に垂れ下がる。これにより、遮蔽膜の飛沫で汚れた面は、体に触れることなく衛生を保てることを特徴とするものである。【０００９】図１の本考案の器具を、便器と便座の間に遮蔽膜として設置するために、図１の２を便器側面部に固定し、図１の１は便座裏面に固定する。また遮蔽膜が張りすぎたり、破れる事を避けるため、３のゆとり調整部を設ける。【００１０】本考案の構成素材として、遮蔽膜は吸水性を持たせ、さらに可燃物として処理できるように、紙などの吸水性のある素材を使うことができる。また衛生面や品質の向上を図り、抗菌加工や遮蔽膜の外面への撥水加工などを施すことができる。
【実施例１】
【００１１】本考案の設置により、男性の立ち小便で生じる飛沫は、左右一対の遮蔽膜で防御され、床や便所の左右の壁面に対して飛散を抑えることができる。これにより床や便所の壁面を保護する効果が得られ、掃除の手間を省くと共に、悪臭の原因も抑えることができ、衛生的である。
【実施例２】
【００１２】便座を降ろして使用する際に、汚染面を内側に折り畳まれた遮蔽膜は、便器の外側面で二つ折りにされた状態で垂れ下がり、体や衣服を汚さず衛生的である。
【実施例３】
【００１３】本考案は複雑な加工を必要としないため、製造コストを抑えることができ、使い捨てを前提とした廉価な価格での生産が可能である。
【図面の簡単な説明】
【００１４】
【図１】本考案の男子小便飛散防止シート、左右一対の一つである。
【図２】本考案を装着し、便座を引き上げた腰掛け式水洗便器の斜視図である。
【図３】本考案を装着し、便座を引き上げた腰掛け式水洗便器の側面図である。
【図４】本考案を装着し、便座を降ろした腰掛け式水洗便器の斜視図である。
【図５】本考案を装着し、便座を降ろした腰掛け式水洗便器の側面図である。
【符号の説明】
【００１５】１  便座裏への着脱部
２  便器側面部への着脱部
３  ゆとり調整部
４  折り線
５  厚み強化部
６  便座
７  便器
８  蓋
【図１】
0003117617.tif 000003
【図２】
0003117617.tif 000004
【図３】
0003117617.tif 000005
【図４】
0003117617.tif 000006
【図５】
0003117617.tif 000007
(57)【要約】      （修正有）【課題】様々な状態でも育児、介護をしなければならない人の負担を軽くする。【解決手段】紙おむつの特徴をマットに応用し、数枚重ねる事により簡単に未使用の物を交換できる。【選択図】図１
0003117612.tif 000002
【実用新案登録請求の範囲】
【請求項１】
紙おむつの材質を利用したマットを、数枚重ねる事により、洗濯、交換の手間を省き、管理を簡易化したところを特徴とする使い捨てマット
【考案の詳細な説明】
【技術分野】
【０００１】  本考案は、吸水紙マットを数枚接着し、汚れたら順に剥がして使うマットに関するものである。
【背景技術】
【０００２】  嘔吐、鼻血などによるシーツの汚れ、キッチンマットに飛び散った汚れ、トイレマットに落ちた尿の汚れ等がしみ、黄ばみを作り、不衛生であり、洗濯にも手間がかかっていた。
【考案の開示】
【考案が解決しようとする課題】
【０００３】  育児、介護中の労働、ストレスは大変なものである。使い捨てマットを使用することにより、肉体的、心的負担の軽減を計ろうとするものである。
【課題を解決する為の手段】
【０００４】  本考案は、紙おむつの材質で数枚重ねたマットを作り、使い捨て可能にして、問題点を解決している。
【考案の効果】
【０００５】  上述の様に、本考案の使い捨てマットは吸水性があり、床、ふとん等の汚れを防止し、汚れたら剥がすだけできれいになるので、衛生的であり労働の軽減になる。
【考案を実施するための最良の形態】
【０００６】  吸水紙の裏面を防水加工し、周りを接着して数枚重ねる。厚みがでてしまうので、１枚を出来るだけ薄くする。使い捨てマット本体の裏面に、すべり止めテープを付ける。
【実施例】
【０００７】  以下、添付図面に従って一実施例を説明する。図Ｉは使い捨てマット本体。マット表面は吸水性のある素材を使用した物、斜線は接着部分。図ＩＩは使い捨てマット裏面、防水加工された物。セット部分に固定する為、左右にすべり止めテープを付ける。
【図面の簡単な説明】
【０００８】
【図１】本考案の使い捨てマットの一実施例を示す全体図である。
【図２】使い捨てマット裏面、防水加工しすべり止めテープを付けた図である。
【符号の説明】
【０００９】１  使い捨てマット本体
２  防水加工
３  接着部分
４  すべり止めテープ
【図１】
0003117612.tif 000003
【図２】
0003117612.tif 000004
(57)【要約】【課題】本考案はドア本体に、通風、防虫、防音、断熱、遮光、採光の機能をもたせることにより、室内環境を一段と向上させる。【解決手段】本考案はドア本体１、中央部上下に開口部を設け、かつ、室外側開口部を覆うことのできる、着脱交換式の網戸５、該、着脱交換式の防音断熱遮光戸６、該、着脱交換式の採光戸７、を設置し、また、左右開閉自在で室内側開口部を密閉、および開放することのできる障子４、を、ドア本体１、厚み中空部の室内側に内蔵することによって、上記機能を一枚のドアにもたせることができる。【選択図】  図１
0003117618.tif 000002
【実用新案登録請求の範囲】
【請求項１】
ドア粋に開閉自在のドア本体を枢支してなる室内ドアにおいて、上下横框および左右縦框によって囲繞される開口部をドア本体の中央部上下に各１ヶ所ずつ形成し、該、前記開口部室内側を密閉および開放することのできる大きさをもち、ドア本体厚みの半分程度の厚さで形成した左右開閉自在の、和紙をはった障子をドア本体厚み中空部に内蔵し、かつ上記開口部室外側框の内側に隙間無く挿入することで、開口部を覆うことのできる大きさをもち、ドア本体の半分強に相当する適度な厚さで形成した、着脱交換式の網戸、該、着脱交換式の防音断熱遮光戸、該、着脱交換式の採光ガラス戸、等のような違った機能を有す部分戸を、季節の変化に応じて使い分けることを特徴とする、着脱交換戸式ドア。
【考案の詳細な説明】
【技術分野】
【０００１】  本考案は、室内用ドア本体中央部上下に設けた開口部に、着脱交換式の網戸、該、着脱交換式の防音断熱遮光戸、該、着脱交換式の採光ガラス戸、等、交換戸を設けた、ドアに関するものである。
【背景技術】
【０００２】  従来の室内用ドアは、採光ガラス式ドアや、目隠し式ドアが主であり、室内に通風する場合ドアを開け放し、害虫の侵入を阻止するために網戸を別に設置し、また、防音断熱遮光が必要な場合、採光ガラス式ドアにおいてはカーテンを設置する、等、別々に設置していた。
【考案の開示】
【考案が解決しようとする課題】
【０００３】  網戸やカーテン等の別々の設置は、経済的負担も大きく、スペースも必要になり、さらに邪魔である。
従って、ドアの機能と別々に設置していた機能を一体化することで、通風、防虫、防音、断熱、遮光、採光等が、一枚のドアで可能になり前述の欠点を解決しようとするものである。
【課題を解決するための手段】
【０００４】  本考案は、ドア本体中央部上下に開口部を設け、該、開口部を密封および開放する事のできる、左右開閉自在障子を、ドア厚みの中空部室内側に内蔵し、また室外側に開口部を覆う着脱交換式の網戸、該、着脱交換式の防音断熱遮光戸、該、着脱交換式の採光ガラス戸、等を設置することにより、問題点を解決している。
【考案の効果】
【０００５】  上述のように、本考案の着脱交換戸付きドアは、ドア本体の機能として物理的なものを遮断することは勿論のこと、複数の着脱交換戸を、季節や好みに合わせて設置し、左右開閉自在障子の開閉により、害虫を阻止しての通風、防音断熱遮光、採光、等の機能も増し、また、人の出入りのときにはドア本体の開閉で、着脱交換戸もドアと一体となって開閉するので大変便利である。
【考案を実施するための最良の形態】
【０００６】  ドア本体開口部室外側に、着脱交換式網戸を設置し、ドア厚みの中空部室内側に内蔵された左右開閉自在障子を開けることにより通風をそくし、該、左右開閉自在障子を閉じることにより通風を止めることができるもので、既存の網戸と障子のように、操作および機能ともなんら変わりなく使用でき、また、上記網戸をはずして着脱交換式防音断熱遮光戸を設置し、左右開閉自在障子を閉じることにより、防音断熱遮光機能はいっそう増すことになり、冷房や暖房に対する経済的負担も削減されるものであり、また、上記防音断熱遮光戸をとりはずして、採光ガラス戸を設置した場合、左右開閉自在障子を開けることで気持ちのよいすんだ光がさし、該、左右開閉自在障子を閉じることにより、おちついた柔らかな光がさすことになる。
【実施例】
【０００７】  以下、添付図面に従って一実施例を説明する。
１は木製で形成されたドア本体、２はドアを開閉するとき、押したり引いたりするドアハンドル、３は、折れたり開いたりしてドアを開閉をさせる蝶番、４ａ、４ｂは左右開閉自在の障子で開口部を密封したり開放したりして室外側の着脱交換戸の機能を倍加させる働きをする。【０００８】  ５は上記ドア本体１の室外側開口部に設置する、着脱交換式の網戸であり、通風防虫機能をもち、６は前記５と同じ開口部に設置する、着脱交換式の防音断熱遮光戸であり、音や熱や光を遮る機能をもち、７は前記５および６と同じ開口部に設置する、着脱交換式の採光ガラス戸で、既存のガラスはめ込み式のドアと同じ機能をもつものである。【０００９】  本考案の一実施例は、上述の如き構成からなるものであるから、ドア本体１に設けられた開口部室外側に、着脱交換式の網戸５、該、着脱交換式の防音断熱遮光戸６、該、着脱交換式の採光ガラス戸７を、季節や好みにより選んで設置することにより、室内の環境は一段と向上することになる。
【図面の簡単な説明】
【００１０】
【図１】本考案の、着脱交換戸式ドアの実施例を示す、斜視図である。
【図２】本ドアの正面図である。
【図３】本ドアの背面図である。
【図４】本ドアの側面図である。
【図５】本考案の、着脱交換式の防音断熱遮光戸の正面図である。
【図６】本考案の、着脱交換式の採光ガラス戸の正面図である。
【図７】本ドアの平面図である。
【図８】本ドアの一部切欠断面図である。
【符号の説明】
【００１１】  １  ドア本体
２  ドアハンドル
３  蝶番
４  障子
５  網戸
６  防音断熱遮光戸
７  採光ガラス戸
【図１】
0003117618.tif 000003
【図２】
0003117618.tif 000004
【図３】
0003117618.tif 000005
【図４】
0003117618.tif 000006
【図５】
0003117618.tif 000007
【図６】
0003117618.tif 000008
【図７】
0003117618.tif 000009
【図８】
0003117618.tif 000010
(57)【要約】      （修正有）【課題】スポンジ本体に紐を通し、伸ばした紐の先を輪にして手首に通して紐の輪を調節することにより、スポンジ本体の落下防止を可能にする。【解決手段】スポンジ本体１の横の厚みの中心に紐を通す穴４を開け、紐を通す穴４に紐を通し、スポンジ本体に通された紐６を、もう一方の紐を通す穴４から出し、スポンジ本体を巻いた紐７を結び目５で結び、結び目５から長く伸ばした紐２の先に紐の輪３を作り、紐の輪３を手首に通して調節できる結び目８を移動することにより、手首に固定させられることでスポンジ本体１の落下防止に役立つ。【選択図】図１
0003117616.tif 000002
【実用新案登録請求の範囲】
【請求項１】
スポンジの横の厚みの中心に紐を通してスポンジの外側の横で紐を結び、結び目から紐を長く伸ばして紐の輪を形作り、紐の輪を手首に通し、紐の輪を調節できる結び目によって手首に固定させられることを特徴とする洗車やワックス掛けで落さないスポンジ
【考案の詳細な説明】
【技術分野】
【０００１】  本考案は、手に持ったスポンジを落しても、地面まで落ちないように紐で結ばれたスポンジに関するものである。
【背景技術】
【０００２】  従来のスポンジは手に持って洗車やワックス掛けをしていて、誤ってスポンジを地面に落すと、土や小石がスポンジに挟まってしまう為、そのスポンジを再度使用して車の塗装に傷を付けてしまう虞があった。
【考案の開示】
【考案が解決しようとする課題】
【０００３】  一度でも地面に落したスポンジは二度と使えない為、スポンジを新たに購入することで不経済であった、従って、洗車やワックス掛けをしている手から誤って落してもスポンジに紐が結ばれていることで地面まで落さないことが可能になり、前述の欠点を解決しようとするものである。
【課題を解決するための手段】
【０００４】  本考案は、スポンジ本体に紐を通して、紐の先に紐の輪を形作り手首に紐の輪を通して、紐の輪を調節できる結び目によって狭くすることで手首に固定されることにより、問題点を解決している。
【考案の効果】
【０００５】  上述の様に、本考案の洗車やワックス掛けで落さないスポンジは、誤って手からスポンジ本体を落しても手首に巻かれた紐の輪と結び目との間の紐の長さで止まる為、地面まで落ちることが無くなり、手首から伸びる紐を手繰り寄せ、手に素早く戻すことにより効率の良い洗車やワックス掛けに役立つ。
【考案を実施するための最良の形態】
【０００６】  スポンジ本体の横の厚みの中心に紐を通す穴を開け、紐を通す穴に紐を通してスポンジ本体の横で紐を結び、結んだ紐の先を長く伸ばして紐の輪を形作り手首に紐の輪を通し、紐の輪を調節できる結び目によって手首に固定させられることで、誤って手からスポンジ本体を落しても手首に巻かれた紐の輪と結び目との間の紐の長さだけ離れるだけで地面に落ちることが無くなる。
【実施例】
【０００７】  以下、添付図面に従って一実施例を説明する。スポンジ本体１の横の厚みの中心に紐を通す穴４を開け、紐を通す穴４に紐を通すことでスポンジ本体に通された紐６が反対側に開いた紐を通す穴４から出されスポンジ本体１の横を這わせられる、スポンジ本体を巻いた紐７は結び目５で結ばれた後、結んだ紐の先から紐２を長く伸ばして紐の輪３を形作り手首に紐の輪３を通し、調節できる結び目８を移動することで手首に固定させられる為、誤って手からスポンジ本体１を落しても手首に巻かれた紐の輪３と結び目５との間の紐２の長さだけスポンジ本体１が離れるだけで地面に落さないで済む。
【図面の簡単な説明】
【０００８】
【図１】本考案の洗車やワックス掛けで落さないスポンジの実施例を上から見た図である。
【図２】上述の（図１）を横から見た図である。
【符号の説明】
【０００９】１  スポンジ本体
２  紐
３  紐の輪
４  紐を通す穴
５  結び目
６  スポンジ本体に通された紐
７  スポンジ本体を巻いた紐
８  調節できる結び目
【図１】
0003117616.tif 000003
【図２】
0003117616.tif 000004
(57)【要約】      （修正有）【課題】青色発光源を発光させる間欠発光装置を設け夜行性動物を防除する。【解決手段】電源供給元１５で充電池６に充電し一定の明るさ以下で光センサ−１０が電源ＯＮし円形プリント基板１に配線した青色発光源２を電子部品３で回転又は１個おきに間欠発光させ四方から見ても、２個の目が移動しているように見えることにより夜行性動物に危機感を与え進入防除に役立つ。【選択図】図２
0003117613.tif 000002
【実用新案登録請求の範囲】
【請求項１】
基板に青色発光源複数個を外周に指定間隔で外向水平に取付け対角線状の発光源を周回水平面で交互に発光させる間欠発光装置。
【請求項２】
一定の明るさ以下になったときに間欠発光するように光センサ−を配したことを特徴とする請求項１記載の間欠発光装置。
【請求項３】
電源供給元として、太陽光、風力、水力のいずれか又は２以上の組合せとしたことを特徴とする請求項１又は２記載の間欠発光装置。
【考案の詳細な説明】
【技術分野】
【０００１】  本考案は、円形プリント基板に青色発光源と電子タイマ−回路を設けた、夜行性動物防除用器具に関するものである。
【技術背景】
【０００２】  近年、山林および田畑の耕作放棄地が増加に伴い、イノシシ（本来は昼行性であるが、人間の活動による二次的習慣により日没後活動による被害が多い）およびハクビシンやイタチ類などの夜行性動物による被害が増加しており、そのため耕作を諦める農家も多い。その防止柵についても、トタン板（イノシシは１２０ｃｍまで飛び越える）やネットを周囲全てに張りめぐらすことは、コストや手間および維持管理が容易でなく、悪循環による被害の拡大が数多く散見される。
※  被害作物
穀類・・・・・水稲、トウモロコシ、ソバ、麦、豆類
野菜類・・・・タケノコ、イモ類、ナス、大根、コンニャク、キャベツ、南瓜
トマト、人参、白菜、キュウリ、落花生など
果物・花弁・・栗、ミカン、リンゴ、ブドウ、柿、桃、梨、西瓜、苺、花弁など
【考案の開示】
【考案が解決しようとする課題】
【０００３】  特にイノシシの場合、学習能力も高く記憶力もよいため、トタン板の上をジャンプしたり、トタン板の下から穴を掘り進入する。これらの設置および維持管理には多くのコストと労働的負担が大きい。これらの防止柵は見た目にも景観を損ねるものであり、維持管理状態が効果を左右する。本考案により、これらの進入路付近に簡単に設置し、しかも１００ｍ先から判別できる青系統の発光源を発光し四方から見ても、２個の目が移動しているように見えることにより夜行性動物に危機感を与え進入を防止する。
【問題を解決するための手段】
【０００４】  本考案は、少額の費用で設置し、維持管理費がゼロに近いのが特長。この考案は図面で示すように、円形のプリント基板に超高輝度青色発光源を４５度間隔で８個取り付け奇数の発光源と偶数の発光源を交互に間欠発光させることにより、四方から見ても、２個の目が移動しているように見えることにより夜行性動物により進入を防止する。
電源は充電式電池で太陽光からソウラ−により蓄積、光センサ−により夕闇により始動し、夜明けに停止する。したがって、設置すれば人の手を借りることなく、始動・停止し、ソウラ−充電により維持コストも掛からず問題を解決しようとするものである。
【考案の効果】
【０００５】  本考案は夜行性動物の特性から発想したものであり、これら夜行性動物の多くは青系統の色を識別できるが、赤系統は識別できないといわれている。
従来の防止柵は、トタン板、有刺鉄線、ネット、暴風ネット、金網、溶接金網、電線など様々な防止策が使われているが、いずれも設置費用および維持管理の時間的負担が多く、それでも被害に遭い、耕作や作付けを諦めるケ−スが散見される。
そのため、新たな耕作放棄地が増加する悪循環と、イノシシの場合春から夏にかけて４〜５頭を生む繁殖力も加わり、農作物被害や精神的被害による地区的被害により、過疎の要因ともなっていた。
【考案を実施するために最良の形態】
【０００６】  イノシシの様に侵入路が明確な場合は、侵入路方向に設置し、ハクビシンの様に侵入路が特定できない場合は、田畑の中央に設置する。
農作物の成長や夜行性動物によって、また、地形に合わせ設置の高低を変えることにより、夜行性動物の特性に合わせることができる。
【０００７】  設置については、設置場所を選択し器機に備え付けの杭を挿すだけであり、自動点灯、消灯センサ−付により、日々の管理は不要となる。
【実施例】
【０００８】  以下、添付図面に従って実施例を説明する。
１は青色発光源８個を外周に４５度間隔で外向水平に配置し内スペ−スには青色発光源を間欠発光させる回路用電子部品を取付け配線。一体化し中心に穴をあけネジで固定、
太陽熱にも耐久性のあるガラスエポキシ両面スルホ−ル円形プリント基板である。
２は夜行性動物が遠くからでも識別できる青系統の超高輝度青色発光源８個で、３は青色発光源２を間欠発光させる電子タイマ−回路用の半導体、コンデンサ−、抵抗、電子部品である。【０００９】  ４は前記の円形プリント基板１を組込み防水及び周囲に青色発光が通る全面透明のポリスチレン樹脂ケ−ス。５は青色発光を正面水平に広げるため円形プリント基板１の外周より大きい白色円形板で中心にネジ止め穴のある円形反射板。７は円形プリント基板１と円形反射板５を密着固定し透明ケ−ス４の中央に立て固定する。
サビに強いステンレスのネジきり支柱であり、８は透明ケ−ス４に固定のネジきり支柱７と底蓋で透明ケ−ス４を密閉固定するステンレスのナット。
１０は夕闇、夜明けの一定の明るさの上下を感知し電子タイマ−回路と青色発光源２の電源をＯＮ、ＯＦＦするスイッチ役目の光センサ−。
６は電子回路全ての電源となる充電池単３型４本収納するプラスチックタイプの電池ケ−スであり、１５は太陽光を電気に変換し１６の電線コ−ドを通し充電池への電気供給元となる発電ソ−ラパネルである。９は充電池単３型４本の重量により透明ケ−ス４の傾きを修正し、青色発光源２を水平にするバランス重り。
１４は青色発光源２と電子回路を一体化した円形プリント基板１と円形反射板５及び充電池を組込した透明ケ−ス４の中心に固定し吊り下げる、サビに強いアルミの三角形吊り金具である。
１３は透明ケ−ス４が風力で自由回転できるフリ−カンで１２は風力で透明ケ−ス４が上下左右の動きをできるだけ継続させるためのスプリング。
１７は地形に合わせ簡単に挿入設置でき発電ソ−ラパネル１５と１１の吊りカンで透明ケ−ス４が取付けできるようにＬ金具をＴ字型にした杭である。
【図面の簡単な説明】
【００１０】
【図１】  本考案の青色発光源と電子タイマ−部品を配置した円形プリント基板正面図である。
【図２】  夜行性動物防除用青色発光源間欠発光装置の実施例を示す正面図である。
【符号の説明】
【００１１】１  円形プリント基板
２  超高輝度青色発光源
３  間欠発光制御用電子部品
４  透明ケ−ス
５  円形反射板
６  電池ケ−ス
７  ネジきり支柱
８  ナット
９  重量バランス用重り
１０  光センサ−
１１  吊りカン
１２  スプリング
１３  フリ−カン
１４  ケ−ス吊金具
１５  発電ソ−ラパネル
１６  電源用コ−ド
１７  杭
【図１】
0003117613.tif 000003
【図２】
0003117613.tif 000004
(57)【要約】      （修正有）【課題】携帯式液体容器を洗浄後、簡単に乾燥できるようにする。【解決手段】携帯式液体容器の下部に吊り下げ用の穴を設け、洗浄後の乾燥を本体をさかさまに吊り下げて行うことで、本体の手入れを簡単にすることができる。また、乾燥のための場所もとらずにすむ。【選択図】図３
0003117619.tif 000002
【実用新案登録請求の範囲】
【請求項１】
本体下部に吊り下げ用の穴を設けた、携帯式液体容器。
【考案の詳細な説明】
【技術分野】
【０００１】  本考案は、乾燥のための吊り下げ穴を設けた携帯式液体容器に関するものである。
【背景技術】
【０００２】  特許文献には、水筒の底部に水切りフックをつけることにより、床に対して垂直に吊り下げられるため、水分を均等に切ることができ、非常に衛生的であるとともに、腐蝕等の、へい害も防止し、転倒により破損することもない、ということが記載されている。
【特許文献】  特開  昭５９−１０８４２１
【考案の開示】
【考案が解決しようとする課題】
【０００３】  本考案はフックの代わりに本体に直接、吊り下げ穴を設けることにより、つなぎ目に汚れが溜まることをなくし、フックの離脱による破損を防ぐことができる。また、フックの出し入れの手間がなく安易に乾燥させることができ、前述の欠点を解決しようとするものである。
【課題を解決するための手段】
【０００４】  本考案はフックの代わりに本体に直接、吊り下げ穴を設けることにより、つなぎ目に汚れが溜まることをなくし、フックの離脱による破損を防ぐことができる。また、フックの出し入れの手間がなく安易に乾燥させることができ、前述の欠点を解決している。
【考案の効果】
【０００５】  上述の様に、本考案の吊り下げ乾燥式携帯式液体容器は、本体に直接、吊り下げ穴を設けることにより、つなぎ目に汚れが溜まることをなくし、フックの離脱による破損を防ぐことができる。また、フックの出し入れの手間がなく安易に乾燥させることができ、手入れの手間を簡素化するものとして役立つ。
【考案を実施するための最良の形態】
【０００６】  携帯式液体容器本体の下部にプラスチックス等の素材の土台を取り付け、その土台に一部流線型の出っ張りを作り、そこに吊り下げ穴を設ける。吊り下げ時に本体が床に対して垂直にならず、斜めになるが、広口の容器の場合は斜めに吊り下げるほうがより効果的に乾燥できる。吊り下げ穴をプラスチック等の土台と一体型にすることで、使用時に他の物に引っかかることを予防し、安全に使用できる。
【図面の簡単な説明】
【０００７】
【図１】  本考案の吊り下げ乾燥式携帯式液体容器の実施例を示す正面図である。
【図２】  本携帯式液体容器の一部欠断面図である。
【図３】  本携帯式液体容器の使用状態を示す斜視図である。
【符号の説明】
【０００８】  １  携帯式液体容器本体
２  プラスチック等素材の土台
３  土台の一部出っ張り部分
４  吊り下げ用穴
【図１】
0003117619.tif 000003
【図２】
0003117619.tif 000004
【図３】
0003117619.tif 000005
(57)【要約】      （修正有）【課題】湯葉を混入または練り込んで製造した腸詰め及びケーシング並びにリテイナー成型されたソーセージ類を製造することにより、よりヘルシーなソーセージ類を提供する。【解決手段】湯葉を混入または練り込んで製造した腸詰め及びケーシング並びにリテイナー成型されたソーセージ類である。【選択図】図１
0003117615.tif 000002
【実用新案登録請求の範囲】
【請求項１】
湯葉を混入または練り込んだことを特徴とする腸詰め及びケーシング並びにリテイナー成型されたソーセージ類。
【考案の詳細な説明】
【技術分野】
【０００１】この考案は、湯葉を混入または練り込んで製造した腸詰め及びケーシング並びにリテイナー成型されたソーセージ類である。
【背景技術】
【０００２】従来、野菜類を混入して製造されたボロニアソーセージはあったが、湯葉を混入及び練り込んで製造されたソーセージ類はなかった。
【考案の開示】
【考案が解決しようとする課題】
【０００３】わが国に広く普及し、好んで食されるソーセージ類はその原材料のほとんどが畜肉及び魚肉により製造されており、昨今の健康ブームにあって、よりヘルシーなソーセージ類が求められるようになってきた。
この考案は、高蛋白で低カロリーな湯葉を混入または練り込んでソーセージ類を製造することにより、これらの要望を満たすものである。
【課題を解決するための手段】
【０００４】（イ）ソーセージ類を成型する際に湯葉の塊を混入させる。
（ロ）ソーセージ類の原材料に湯葉を練りこむ。
本考案は、以上の構成からなる湯葉を混入または練り込んで製造した腸詰め及びケーシング並びにリテイナー成型されたソーセージ類である。
【考案の効果】
【０００５】湯葉は、畑の肉と呼ばれる大豆を原料に作られており、大豆イソフラボン、大豆プロテイン、大豆レシチン、大豆サポニンという健康食品原料が大量に含まれており、高蛋白で低カロリーな食品であり、これを加えることにより、よりヘルシーなソーセージ類を提供することができる。又、湯葉の塊を混入することにより独特の食感を楽しむこともできる。
【実施例】
【０００６】ソーセージを成型する際に湯葉の塊を混入させ、湯葉を混入したソーセージを製造する。図１に本実施例を示す。【０００７】ソーセージを成型する前に湯葉を練り込み、湯葉を練り込んだソーセージを製造する。
図２に本実施例を示す。
【産業上の利用可能性】
【０００８】高蛋白で低カロリーな湯葉を混入または練り込んでソーセージ類を製造することにより、よりヘルシーなソーセージ類を、安価で且つ簡単に製造することができる特性を併せ持つ湯葉を混入または練り込んで製造した腸詰め及びケーシング並びにリテイナー成型されたソーセージ類である。
【図面の簡単な説明】
【０００９】
【図１】本考案の湯波（湯葉）の塊を混入した実施例を示した立面図である。
【図２】本考案の湯波（湯葉）を練り込んだ実施例を示した立面図である。
【図１】
0003117615.tif 000003
【図２】
0003117615.tif 000004
(57)【要約】【課題】看護士、歯科衛生士、飲食店従事者等の半袖ユニフォームの袖口から下着や脇が見えないようにする快適性を備えた衣服を提供する。【解決手段】袖の内側にゴム状部材先端開口部を有する通気性部材脇隠しを袖ぐりに逢着させたことを特徴とする。【選択図】    図１
0003117620.tif 000002
【実用新案登録請求の範囲】
【請求項１】
ユニフォームの半袖の内側に先端開口部周辺が伸縮性を有するゴム状部材を備えた通気性部材の脇隠し付衣服。
【考案の詳細な説明】
【技術分野】
【０００１】本考案は半袖の内側に快適性を備えた脇隠しを介在させた衣服に関する。
【背景技術】
【０００２】従来の衣服で脇付近が通気部材を介在させ縫製させたものは実願平９−９０１３にみられるように既に公知であるが半袖である場合、袖口から下着や脇が見えてしまうという問題点があった。
【考案の開示】
【考案が解決しようとする課題】
【０００３】本考案は作業性が良好であり半袖ユニフォーム着用の女性が下着や脇が見えてしまう心配を解決しようとするものである。
【課題が解決するための手段】
【０００４】本考案は通気性部材の脇隠しを介在させた袖であり、この脇隠しの先端開口部はゴム状部材とし、袖ぐりに逢着させる。
【考案の効果】
【０００５】本考案は以上の如く構成するものであって、即ち袖地の内側に通気性部材で成る筒状型もしくは壁状型で、先端開口部はゴム状部材で成る脇隠しを介在させたものである。それにより、通気性部材からは、体内の熱気が効果的に放散されるので蒸れることなく作業動作を快適に行うことが出来、また先端開口部がゴム状部材で成るので、腕にフィットし、作業中に脇が見えてしまうことを防ぐことが出来るという機能が発揮され、外観上のデザインも見栄えを損なうことはない。
【考案を実施するための最良の形態】
【０００６】図１は、本考案を実施した衣服の断面図であり、袖地１の内側の袖ぐり４にゴム状部材３を備えた筒状型の通気性部材２を逢着させる。この際、通気性部材２は図示のように袖山５より１０ｃｍ程度の長さとしているが、図２の断面図は、図示のように袖地１の内側の袖ぐり４に腕の通し口がゴム状部材３を備えた壁状型の通気性部材２を逢着させている。この際、通気性部材２は膜状の形状を成しているため袖山５からの長さはない。通気性部材２と袖地１はユニフォームのデザインにより、それぞれ望ましい長さに縫製する。通気性部材２は、この例では目の粗い平織り織布だが、これに限らず網目の不織布、デザイン性に富んだレース素材などの薄い生地が好ましい。また、通気性部材２と先端開口部のゴム状部材３は袖地１と同色のものを採用すると目立たず望ましいが、逆に異色のものとし、目立つようにすることは自由である。
【図面の簡単な説明】
【図１】本考案を実施した衣服の断面図（筒状型）
【図２】本考案を実施した衣服の断面図（壁状型）
【符号の説明】
１  袖地
２  通気性部材脇隠し
３  ゴム状部材先端開口部
４  袖ぐり
５  袖山
【図１】
0003117620.tif 000003
【図２】
0003117620.tif 000004
(57)【要約】      （修正有）【課題】贈答品の外面に添付する熨斗紙の機能と外観に影響を与えることのないメッセージ付の熨斗紙を提供する。【解決手段】紙シートを熨斗部分を表にして折り目に沿って折り曲げることによって、表面に熨斗部分が現われ、メッセージ部が中に位置する「はなのし」１０が形成される。この「はなのし」１０を、貼着部５を利用して贈答品に貼着して使用する。【選択図】図３
0003117964.tif 000002
【実用新案登録請求の範囲】
【請求項１】
一枚の紙シートに熨斗部と贈答主のメッセージ欄を設け、熨斗部の外側に沿って折り目を設け、この折り目に沿って紙シートを折り曲げて熨斗部のみが表面に現れるようにした熨斗紙。
【請求項２】
表面の半分に熨斗部を形成し、裏面を贈答主のメッセージ欄とした請求項１に記載の熨斗紙。
【請求項３】
紙材ート上縁の一部に貼着部をミシン目を介して一体的に設けた請求項１または請求項２に記載の熨斗紙。
【請求項４】
折り目を２箇所以上設け、メッセージ欄を二つ折り以上とした請求項１または請求項２に記載の熨斗紙。
【考案の詳細な説明】
【技術分野】
【０００１】
本考案は贈答品に添付する熨斗紙に関する。
【背景技術】
【０００２】
従来、贈答品に添付する熨斗紙は、贈答主の氏名とともに「お祝い」、「お中元」、「お歳暮」の贈答趣旨が記入されているのみで、その挨拶、祝いの言葉等の贈り主側の言葉メッセージは、グリーティングカードやその他のメッセージカードを贈答品の中に入れるのが通常であった。
【０００３】
ところが、このようにメッセージカードが贈答品の中に入った状態では、受取り側が贈答品の包装を解かない限りは贈答主の言葉は伝わらず、贈答主によるメッセージのタイミングが遅れてしまい、そのときの言葉の趣旨が伝わらないという問題があった。
【０００４】
そのため、贈り主の氏名の近傍に、メッセージが書き込めるようにし、受け取り側が贈答品を受け取った時点で贈り主の言葉が伝わるようにした熨斗紙が特許文献１に提案されている。
【０００５】
しかしながら、このように、熨斗紙の表面にメッセージを書き込めるようにしたものでは、清潔な印象を与えるようにした単純な熨斗紙が、汚くなり、好ましくない。
【特許文献１】特開２００１−２６１０７０号公報
【考案の開示】
【考案が解決しようとする課題】
【０００６】
本考案の課題は、贈答品の外面に添付する熨斗紙において、その表面のデザイン上の単純さを失うなくことなく、贈答主の言葉を伝えることができるようにすることにあって、贈答品の外面に添付する熨斗紙の機能と熨斗紙としての外観に影響を与えることのないメッセージ付の熨斗紙を提供することにある。
【課題を解決するための手段】
【０００７】
本考案は、通常の趣旨を記した熨斗部分と贈り主のメッセージを記したメッセージ欄を一枚の紙シートに設け、この紙シートを折り曲げて熨斗部分が表面になるようにした熨斗紙である。
【０００８】
この熨斗紙において、紙シートの表面の半分を熨斗部分とし、裏面をメッセージ欄として、紙シートを折り曲げて熨斗部分が表面に、メッセージ欄が折り曲げられたシートの内面になる形態とすることができる。
【０００９】
この形態の場合、熨斗紙を贈答品へ貼着するためには、折り曲げられた熨斗紙の裏面となる白紙部分に剥がし可能な貼着手段を設けるか、上縁の一部に貼着部を一体的に設け、この貼着部を利用して通常の熨斗紙と同様に贈答品に貼着することができる。
【００１０】
また、上縁の一部に貼着部を一体的に設ける場合には、上縁と貼着部との間にミシン目を設け、贈答品の受け取り時に、ミシン目から、本考案の熨斗紙を切り取り、これだけを記念とすることもできる。
【００１１】
メッセージ欄を広く取りたい場合は、メッセージ欄を広く取り、二つ折り以上とすることができる。
【００１２】
また、熨斗紙を折り曲げて重なり合わせても、熨斗紙として通常の紙材を用い、また折り曲げのために、折り目を形成することによって、折り曲げてもその厚みは大きくならず、贈答品への貼着に際して、また、見た目にも違和感を与えることはない。
【考案の効果】
【００１３】
本考案の熨斗紙は、通常の熨斗紙と同様に贈答品表面に添付することができ、贈答品を受取った側は、その場で、熨斗紙を開くだけで、贈答主のメッセージを読むことができる。
【００１４】
また、本考案の熨斗紙は、季節の花と和歌を添えて、いわゆる「はなのし」とすることもできる。
【００１５】
折り畳みを利用して、その内側に各種の香料を浸み込ませることができる。
【００１６】
さらには、折り畳まれたメッセージ欄を利用して、飛び出す立体模様を施すこともできる。
【考案を実施するための最良の形態】
【００１７】
以下、図に示す実施例によって本考案の実施の形態を説明する。
【実施例】
【００１８】
本考案の熨斗紙をお歳暮用の「はなのし」として使用する例を添付図によって説明する。
【００１９】
図１は本考案の熨斗紙を折り曲げて作成する前の紙シート１を表面から見た図であり、図２は裏面から見た図を示す。
【００２０】
図１において、その左半分は贈答の趣旨を記載した熨斗部分２であり、右半分は折り目３によって分離された白紙部分４を形成している。５は白紙部分４の上縁に連続して形成された貼着部を示し、貼着部５はミシン目６によって熨斗紙本体から切り取り可能に形成されている。
【００２１】
この貼着部５は如何なる形態も採ることができるが、接着剤上に剥離材を設け、この剥離材を剥離することによって使用される形式のものが都合がよい。
【００２２】
また、図２に示すように、紙シート１の裏面は、贈答者の気持ちを現わすメッセージ部７を形成しているが、この図の場合は、贈答者のメッセージとして、季節の花と和歌を現したものとしている。
【００２３】
このような、表裏面を形成した紙シート１を、熨斗部分２を表にして折り目３に沿って折り曲げることによって、いわゆる「はなのし」が得られる。このように表と裏面とに区画されたシート１は、折り目３によって折り曲げることによって、表面に熨斗部分２が現われ、メッセージ部７が中に位置する「はなのし」が形成される。
【００２４】
図３は、本考案に係る熨斗紙１０すなわち「はなのし」を、貼着部５を利用して贈答品に貼着した状態を示す。
【００２５】
贈答品が贈られ先に到達した際には、通常の「はなのし」が、一方が僅かに開いた状態で貼着されており、贈られ先ではただちに、点線で示すように、開けることによって贈り主のメッセージを見ることができる。
【００２６】
また、贈られた方にとって、そのメッセージを保管したい場合には、熨斗紙１０を切取線６によって切り取って保管することもできる。
【産業上の利用可能性】
【００２７】
本考案の熨斗紙用のシート材としては、紙材に限らず、布、木材、合成樹脂などを任意に採用できる。
【図面の簡単な説明】
【００２８】
【図１】熨斗紙用シートを表面から見た状態を示す。
【図２】熨斗紙用シートを裏面から見た状態を示す。
【図３】本考案の熨斗紙を贈答品に貼着した状態を示す。
【符号の説明】
【００２９】
１０  本考案の熨斗紙
１  シート
２  熨斗部分
３  折り目
４  白紙部分
５  貼着部
６  ミシン目
７  メッセージ部
【図１】
0003117964.tif 000003
【図２】
0003117964.tif 000004
【図３】
0003117964.tif 000005
(57)【要約】      （修正有）【課題】運転席に座ったまま反対側のドアミラーを拭けるようにするハンドワイパーを提供する。【解決手段】伸縮自在の柄１０の先に、拭取り体３０を咥えるばね挟み２０を取り付ける。拭取り体３０はスポンジ３１の周りに吸水性のよい紙３２を巻きつけたものであら。運転席に座ったまま、反対側のドアミラーを拭くには、ドアの窓を開け、柄の根元を持って、柄の先を窓の外に出し、拭取り体をミラーに押し付けるようにして拭く。【選択図】図１
0003117963.tif 000002
【実用新案登録請求の範囲】
【請求項１】
伸縮自在な柄の先に、拭取り体を挟んで支持するためのばね挟みを設けて成る自動車の外部バックミラー用ハンドワイパー。
【請求項２】
該拭取り体がスポンジに吸水性シートを巻きつけたものである請求項１に記載の自動車の外部バックミラー用ハンドワイパー。
【請求項３】
該拭取り体がブラシまたはゴムブレードである請求項１に記載の自動車の外部バックミラー用ハンドワイパー。
【考案の詳細な説明】
【技術分野】
【０００１】
この考案は、運転席から反対側の外部バックミラーを拭くためのハンドワイパーに関する。
【背景技術】
【０００２】
自動車のドアミラーは雨の日に水滴が付いてよく見えなくなるので、雑巾などで水滴を拭き取ることが必要になる。しかし、一方のミラーは運転席に座ったまま手を延ばせば届くが、反対側は届かない。したがって、雨の中、車から降りて拭きに行かなければならないので面倒である。
【考案の開示】
【考案が解決しようとする課題】
【０００３】
この考案は、運転席に座ったまま反対側のドアミラーを拭けるようにするハンドワイパーを提供する。
【課題を解決するための手段】
【０００４】
この考案のハンドワイパーは、伸縮自在な柄の先に、拭取り体を挟んで支持するためのばね挟みを設けて成る。
【０００５】
拭取り体は、スポンジに吸水性シートを巻きつけたものが使いやすい。さらには、拭取り体は、ブラシまたはゴムブレードでもよい。
【０００６】
このハンドワイパーで運転席に座ったまま、反対側のドアミラーを拭くときは、窓を開け、柄を長く伸ばして柄の先を外に突き出し、拭取り体をドアミラーに押し付けるようにして拭く。このように、車外に出なくとも反対側のドアミラーを拭けるので、雨の日に重宝する。
【考案を実施するための最良の形態】
【０００７】
このハンドワイパーは、図１に示すように、伸縮自在の柄１０の先に、拭取り体３０を咥えるばね挟み２０を取り付けたものである。柄１０は、太径と小径の２本のパイプ１１、１２を入れ子式に連結したものであり、伸張時長さは80cmほどある。符号１３はストッパであり、細い方のパイプ１２を回らないように手で押さえ、太い方のパイプ１１を反対の手で左に回すとストッパが緩んで伸縮できるようになり、長さを変えた後、太い方のパイプを反対方向に回すとストッパが利いて長さが固定される。
【０００８】
柄の先のばね挟み２０は、洗濯挟みを大きくしたようなものであり、図２に示すように、２枚一対の板片２１がピン２２の周りに開閉自在に支持されており、これら板片が口を閉じるように付勢するＵ字形の板ばね２３が組み込んである。柄１０の先端は潰して平たくしてあり、これをばね挟み２０の一方の板片２１にあてがって、鋲２４で固定してある。鋲２４はビニールカバー２５で覆ってある。
【０００９】
拭取り体３０は様々なものが使えるが、図１に示したものは、スポンジ３１の周りに吸水性のよいシート（紙）３２を巻きつけたものであり、これをばね挟み２０で咥えて支持する。
【００１０】
図４に示すように、運転席に座ったままで、反対側のドアミラー４０を拭くときは、ドアの窓を開け、柄１０の根元を持って、柄の先を窓の外に出し、拭取り体３０をミラー４０に押し付けるようにして拭く。
【００１１】
図示していないが、大型トラックでは左右外部バックミラーがフロントガラスよりかなり前側にあるので、同じ側のものでも運転席や助手席からは手が届かない。しかも、同ミラーはかなり高いところにあるので、地上からも手が届かない。この器具を使えば、運転席や助手席から対応する側のバックミラーを拭くことができ、便利である。
【００１２】
図３は他の拭取り体を示したもので、符号３３はブラシ、符号３４はゴムブレードを備えたものであり、いずれもばね挟み２０で咥えて使用する。
【図面の簡単な説明】
【００１３】
【図１】ハンドワイパーの全体図である。
【図２】ばね挟みの断面図である。
【図３】拭取り体の他の実施例を示した図である。
【図４】ハンドワイパーの使用状態図である。
【符号の説明】
【００１４】
１０  柄
２０  ばね挟み
３０  拭取り体
３１  スポンジ
３２  吸水紙
３３  ブラシ
３４  ゴムブレード
４０  ドアミラー
【図１】
0003117963.tif 000003
【図２】
0003117963.tif 000004
【図３】
0003117963.tif 000005
【図４】
0003117963.tif 000006